(57)【要約】【課題】サーチ時間の延長が発生する周波数があっても、サーチ対象の周波数を総てサーチすることのできる信号検出用チャンネルスキャン装置を提供する。【解決手段】  実施形態の信号検出用チャンネルスキャン装置は、スキャン期間設定部１が、チャンネルスキャンの１回当りのスキャン期間を設定し、サーチ順設定部２が、チャンネルスキャンを行う周波数のサーチ順を設定し、サーチ時間制御部３が、スキャン開始後の各周波数のサーチ時間を順次設定し、サーチ中の受信状況に応じてサーチ時間を延長し、サーチ状況検知部４が、サーチ時間制御部３によるサーチ時間の設定情報にもとづいてスキャン期間中の周波数サーチの進行状況を検知する。サーチ順設定部２が、初回スキャン時は外部より設定された順序に従い、次回スキャン以降はサーチ状況検知部４により検知された前回の周波数サーチの進行状況に応じて、サーチ順を設定する。【選択図】  図１
2013179531.tif 000002
【特許請求の範囲】
【請求項１】
チャンネルスキャンの１回当りのスキャン期間を設定するスキャン期間設定部と、
前記チャンネルスキャンを行う周波数のサーチ順を設定するサーチ順設定部と、
スキャン開始後の各周波数のサーチ時間を順次設定し、サーチ中の受信状況に応じて前記サーチ時間を延長するサーチ時間制御部と、
前記サーチ時間制御部による前記サーチ時間の設定情報にもとづいて前記スキャン期間中の周波数サーチの進行状況を検知するサーチ状況検知部と
を備え、
前記サーチ順設定部が、
初回スキャン時は外部より設定された順序に従い、
次回スキャン以降は前記サーチ状況検知部により検知された前回の周波数サーチの進行状況に応じて、
前記サーチ順を設定する
ことを特徴とする信号検出用チャンネルスキャン装置。
【請求項２】
前記サーチ順設定部は、
前回の周波数サーチが前記サーチ順の途中で終了しているときは、その次の順番の周波数が次回の周波数サーチの先頭となるように前記サーチ順を変更する
ことを特徴とする請求項１に記載の信号検出用チャンネルスキャン装置。
【請求項３】
前記サーチ時間制御部が、
前記各周波数のサーチ時間を順次設定するサーチ時間設定カウンタと、
サーチ中の周波数に受信兆候があったときは、その周波数のサーチ時間設定カウンタの設定時間を延長するサーチ時間延長部と
を有する
ことを特徴とする請求項１または２に記載の信号検出用チャンネルスキャン装置。
【請求項４】
前記サーチ状況検知部が、
どの周波数まで前記サーチ時間設定カウンタのサーチ時間が設定されたかを検出することにより、前記周波数サーチの進行状況を検知する
ことを特徴とする請求項３に記載の信号検出用チャンネルスキャン装置。
【発明の詳細な説明】
【技術分野】
【０００１】
本発明の実施形態は、信号検出用チャンネルスキャン装置に関する。
【背景技術】
【０００２】
例えば車両に搭載されるリモートキーレスエントリーシステムの中には、ノイズなどによる妨害を避けるために、周波数の異なる複数のチャンネルを切り替えて通信するものがある。
【０００３】
このようなリモートキーレスエントリーシステムでは、受信側に信号検出用のチャンネルスキャン装置を設け、受信チャンネルを順次切り替えて、正常な信号が存在する周波数を検出するチャンネルスキャンが行われる。このとき、サーチする周波数の順番は、例えばマイコンにより設定される。チャンネルスキャン装置は、予めスキャン期間を設定し、そのスキャン期間中、設定されたサーチ順に従って、サーチする周波数を順次切り替える。
【０００４】
その際、チャンネルスキャン装置は、例えば受信中の信号のプリアンブル部の特定のデータパターンを検証し、受信中の信号が所望の信号であるかの判定を行う。ところが、受信中の信号の近くに例えば妨害信号があると、受信状態が不安定になり、所望の信号の受信兆候はあるものの確証を得るまでには至らない、という状態になることがある。
【０００５】
そのため、従来のチャンネルスキャン装置は、サーチ時間延長手段を有し、受信兆候があった場合には、その周波数のサーチ時間を延長するようにしている。サーチ時間を延長することにより、所望の信号であるかどうかの判定の精度を高めることができる。しかし、サーチ時間を延長しても、所望の信号であるとの判定ができなかった場合は、他の周波数のサーチ時間が少なくなる。特に、先頭の周波数で検証時間の延長が発生した場合、以降の周波数のサーチを、所定のスキャン期間内に終わらせる、ということができなくなってしまうことがある。
【０００６】
その場合、チャンネルスキャン装置は、再度、チャンネルスキャンを実行する。そのとき、従来のチャンネルスキャン装置は、最初に設定されたサーチ順のまま、チャンネルスキャンを繰り返す。そのため、受信環境に変化がないような場合には、同じ周波数で同じようなサーチ時間の延長が発生し、他の周波数をサーチすることがいつまでもできない、という問題が生じていた。
【先行技術文献】
【特許文献】
【０００７】
【特許文献１】特開２００８−１９０２４４号公報
【発明の概要】
【発明が解決しようとする課題】
【０００８】
本発明が解決しようとする課題は、サーチ時間の延長が発生する周波数があっても、サーチ対象の周波数を総てサーチすることのできる信号検出用チャンネルスキャン装置を提供することにある。
【課題を解決するための手段】
【０００９】
実施形態の信号検出用チャンネルスキャン装置は、スキャン期間設定部が、チャンネルスキャンの１回当りのスキャン期間を設定し、サーチ順設定部が、前記チャンネルスキャンを行う周波数のサーチ順を設定し、サーチ時間制御部が、スキャン開始後の各周波数のサーチ時間を順次設定し、サーチ中の受信状況に応じて前記サーチ時間を延長し、サーチ状況検知部が、前記サーチ時間制御部による前記サーチ時間の設定情報にもとづいて前記スキャン期間中の周波数サーチの進行状況を検知する。この信号検出用チャンネルスキャン装置は、前記サーチ順設定部が、初回スキャン時は外部より設定された順序に従い、次回スキャン以降は前記サーチ状況検知部により検知された前回の周波数サーチの進行状況に応じて、前記サーチ順を設定する。
【図面の簡単な説明】
【００１０】
【図１】実施形態の信号検出用チャンネルスキャン装置の構成の例を示すブロック図。
【図２】サーチ時間制御部の構成の例を示すブロック図。
【図３】実施形態の信号検出用チャンネルスキャン装置の動作例を示す図。
【図４】比較例の信号検出用チャンネルスキャン装置の動作例を示す図。
【発明を実施するための形態】
【００１１】
以下、本発明の実施の形態について図面を参照して説明する。なお、図中、同一または相当部分には同一の符号を付して、その説明は繰り返さない。
【００１２】
（実施形態）
図１は、実施形態の信号検出用チャンネルスキャン装置の構成の例を示すブロック図である。
【００１３】
本実施形態のチャンネルスキャン装置は、チャンネルスキャンの１回当りのスキャン期間を設定するスキャン期間設定部１と、チャンネルスキャンを行う周波数のサーチ順を設定するサーチ順設定部２と、スキャン開始後の各周波数のサーチ時間を順次設定し、サーチ中の受信状況に応じてサーチ時間を延長するサーチ時間制御部３と、サーチ時間制御部３によるサーチ時間の設定情報にもとづいてスキャン期間中の周波数サーチの進行状況を検知するサーチ状況検知部４と、を備える。
【００１４】
スキャン期間設定部１は、例えばタイマを備え、スキャン開始時にＳＴＡＲＴ信号を出力し、一定時間経過後にＳＴＯＰ信号を出力する。ＳＴＡＲＴ信号の出力からＳＴＯＰ信号の出力までの期間が、チャンネルスキャンの１回当りのスキャン期間となる。
【００１５】
サーチ順設定部２は、初回スキャン時は外部より設定された順序に従い、次回スキャン以降はサーチ状況検知部４により検知された前回の周波数サーチの進行状況に応じて、チャンネルスキャンを行う周波数のサーチ順を設定し、設定信号を出力する。
【００１６】
サーチ時間制御部３は、スキャン開始後の各周波数のサーチ時間を順次設定し、サーチ中の受信状況に応じて当初のサーチ時間を延長する。
【００１７】
図２に、サーチ時間制御部３の内部構成の例を示す。ここでは、スキャンする周波数が、周波数Ａ、周波数Ｂ、周波数Ｃの３通りである場合の例を示す。
【００１８】
図２に示す例では、サーチ時間制御部３は、周波数Ａ、Ｂ、Ｃのサーチ時間を順次設定するサーチ時間設定カウンタ３１Ａ、３１Ｂ、３１Ｃと、サーチ中の周波数に受信兆候があったときは、その周波数のサーチ時間設定カウンタ（３１Ａまたは３１Ｂまたは３１Ｃ）の設定時間を延長するサーチ時間延長部３２と、サーチ順設定部２から出力される設定信号により、スキャン開始時の先頭周波数を切り替える切り替え部３３Ａ、３３Ｂ、３３Ｃと、を有する。
【００１９】
サーチ時間設定カウンタ３１Ａ、３１Ｂ、３１Ｃは、切り替え部３３Ａ、３３Ｂ、３３Ｃの出力信号によりカウントを開始し、カウント値が予め設定された値に達すると、フルカウント信号ＦＡ、ＦＢ、ＦＣを出力し、カウントを停止する。
【００２０】
また、サーチ時間設定カウンタ３１Ａ、３１Ｂ、３１Ｃは、ＳＴＯＰ信号が入力されると、カウントを停止する。
【００２１】
サーチ時間延長部３２は、サーチ中の周波数に受信兆候があったときは、その周波数のサーチ時間設定カウンタ（３１Ａまたは３１Ｂまたは３１Ｃ）の設定カウント値を増加させる。
【００２２】
切り替え部３３Ａ、３３Ｂ、３３Ｃは、サーチ順設定部２から出力される設定信号により、サーチ時間設定カウンタ３１Ａ、３１Ｂ、３１ＣへＳＴＡＲＴ信号を入力するか、前段のフルカウント信号ＦＣ、ＦＡ、ＦＢを入力するかを切り替える。
【００２３】
サーチ時間設定カウンタ３１Ａ、３１Ｂ、３１Ｃは、ＳＴＡＲＴ信号が入力されたカウンタが最初にカウントを開始し、そのカウンタからフルカウント信号が出力されると、次段のカウンタがカウントを開始する。
【００２４】
サーチ時間設定カウンタ３１Ａ、３１Ｂ、３１Ｃから出力されるフルカウント信号ＦＡ、ＦＢ、ＦＣが、サーチ時間設定情報としてサーチ状況検知部４へ出力される。
【００２５】
サーチ状況検知部４は、フルカウント信号ＦＡ、ＦＢ、ＦＣの出力状況を監視して、スキャン期間中の周波数サーチの進行状況を検知する。このとき、サーチ状況検知部４は、フルカウント信号が出力されればその周波数のサーチが終了したと判断する。
【００２６】
ところが、サーチ時間延長部３２によるサーチ時間延長があると、ＳＴＯＰ信号が出力されるまでにフルカウント信号が出力されないサーチ時間設定カウンタが出てくる。その場合、サーチ状況検知部４は、その周波数のサーチが未了であると判断する。
【００２７】
サーチ順設定部２は、サーチが未了である周波数があるときは、次回はその周波数が先にサーチされるよう、チャンネルスキャンのサーチ順を変更する。
【００２８】
図３に、本実施形態の信号検出用チャンネルスキャン装置の動作の例を示す。ここでは、初期設定されたサーチ順が、周波数Ａ、Ｂ、Ｃの順であった場合の例を示す。
【００２９】
図３（ａ）は、受信状態が正常で、総ての周波数のサーチが当初設定されたサーチ時間内に終了した場合の動作を示す。
【００３０】
この場合、最初のスキャン期間中にフルカウント信号ＦＡ、ＦＢ、ＦＣが総て出力されるので、サーチ順設定部２は、サーチ順の変更は行わない。そのため、次のスキャン期間においても、周波数Ａ、Ｂ、Ｃの順で周波数サーチを行う。
【００３１】
一方、図３（ｂ）は、周波数Ａ付近に例えば妨害信号があり、周波数Ａの受信兆候はあるものの、正常な信号の周波数であるとの確証を得るまでには至っていないようなときの動作の例である。
【００３２】
このような場合、サーチ時間延長部３２が、サーチ時間設定カウンタ３１Ａのサーチ時間を延長し、周波数Ａに対する検証時間を増加させる。その後、サーチ時間設定カウンタ３１Ａのカウントが終了すると、周波数Ｂのサーチが開始される。ところが、図３（ｂ）に示す例では、周波数Ｂのサーチ中にスキャン期間が終了し、周波数Ｂのサーチは未了となる。
【００３３】
この場合、最初のスキャン期間中には、フルカウント信号ＦＡしか出力されない。そこで、サーチ順設定部２は、サーチ順の変更を行い、次のスキャン期間では、最初に周波数Ｂ、続いて周波数Ｃのサーチが行われるようにする。
【００３４】
図３（ｂ）に示す例では、２回目のスキャンで周波数Ｂ、Ｃのサーチが終了し、フルカウント信号ＦＢ、ＦＣが出力されている。これにより、１回目のスキャン結果と合わせて、総ての周波数のスキャンが完了したことになる。
【００３５】
このとき、周波数Ｂあるいは周波数Ｃのいずれかで正常な受信ができた場合、チャンネルスキャンは、周波数Ｂあるいは周波数Ｃのサーチが終了した時点で終了する。
【００３６】
これに対して、周波数Ｂ、周波数Ｃのいずれでも正常な受信ができなかった場合は、図３（ｃ）に示すように、周波数Ｃのサーチ終了後、再び周波数Ａのサーチを行い、周波数Ａの受信確認を再度行う。
【００３７】
このように、本実施形態では、１回目のスキャン結果にもとづいて２回目のスキャンのサーチ順が変更される。
【００３８】
これに対する比較例として、図４に、サーチ順の変更を行わない、従来の信号検出用チャンネルスキャン装置の動作の例を示す。
【００３９】
図４（ａ）は、受信状態が正常で、総ての周波数のサーチが当初設定されたサーチ時間内に終了した場合の動作の例である。
【００４０】
この場合、従来の信号検出用チャンネルスキャン装置であっても、特に不都合は生じない。
【００４１】
ところが、図４（ｂ）に示すように、周波数Ａのサーチ時間が延長され、周波数Ｂのサーチが未了となった場合、従来の信号検出用チャンネルスキャン装置では、２回目のスキャンも、１回目と同じサーチ順でスキャンが行われる。そのため、２回目のスキャンでも周波数Ａのサーチ時間の延長が行われると、周波数Ｂのサーチは、１回目と同じく、未了となる。
【００４２】
すなわち、従来の信号検出用チャンネルスキャン装置では、スキャンを繰り返しても、サーチ未了の周波数が生じるという、問題が発生する。
【００４３】
これに対して、本実施形態によれば、チャンネルスキャンの実行結果に応じて、次のチャンネルスキャン時の周波数サーチ順を変更することができる。これにより、前回のチャンネルスキャンではサーチ未了であった周波数を、次回以降のチャンネルスキャンでサーチ完了させることができる。
【００４４】
以上説明した実施形態の信号検出用チャンネルスキャン装置によれば、サーチ時間の延長が発生する周波数があっても、サーチ対象の周波数を総てサーチすることができる。
【００４５】
また、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１  スキャン期間設定部
２  サーチ順設定部
３  サーチ時間制御部
４  サーチ状況検知部
３１Ａ〜３１Ｃ  サーチ時間設定カウンタ
３２  サーチ時間延長部
３３Ａ〜３３Ｃ  切り替え部
【図１】
2013179531.tif 000003
【図２】
2013179531.tif 000004
【図３】
2013179531.tif 000005
【図４】
2013179531.tif 000006